(57)【要約】  本発明の実施例はＬＴＥ異種ネットワークにおいてＡＢＳを処理する方法及び装置を提供し、前記方法は、本基地局とＡＢＳを設定した基地局とのシステムフレーム番号偏差を確定するステップと、前記システムフレーム番号偏差に基づいて、前記ＡＢＳを設定した基地局が送信したＡＢＳの発効時間を調整するステップと、を含む。本発明の実施例によって、マクロ基地局とマイクロ基地局とのＡＢＳの同期を実現できる。【選択図】図１
2016541207.tif 000002
【特許請求の範囲】
【請求項１】
本基地局とＡＢＳを設定した基地局とのシステムフレーム番号偏差を確定するステップと、
前記システムフレーム番号偏差に基づいて、前記ＡＢＳを設定した基地局が送信したＡＢＳの発効時間を調整するステップと、を含む長期進化異種ネットワークにおいてほぼブランクなサブフレーム（ＡＢＳ）を処理する方法。
【請求項２】
前記本基地局とＡＢＳを設定した基地局とのシステムフレーム番号偏差（DeltaSFN）を確定するのは以下の式で実現され、
DeltaSFN=(SFN1-SFN2+1024) mod 1024、
ＳＦＮ１は本基地局の指定された時間でのシステムフレーム番号であり、ＳＦＮ２は前記ＡＢＳを設定した基地局の前記指定された時間でのシステムフレーム番号である請求項１に記載の方法。
【請求項３】
前記システムフレーム番号偏差に基づいて、前記ＡＢＳを設定した基地局が送信したＡＢＳの発効時間を調整するのは以下の式で実現され、
T=T1+ DeltaSFN、
ＴがＡＢＳの発効時間であり、Ｔ１は設定されたＡＢＳの発効時間である請求項2に記載の方法。
【請求項４】
基地局に取り付けられ、
本基地局とＡＢＳを設定した基地局とのシステムフレーム番号偏差を確定するように設定される確定モジュールと、
前記システムフレーム番号偏差に基づいて、前記ＡＢＳを設定した基地局が送信したＡＢＳの発効時間を調整するように設定される調整モジュールと、を含むことを特徴とする長期進化異種ネットワークにおいてほぼブランクなサブフレーム（ＡＢＳ）を処理する装置。
【請求項５】
前記確定モジュールは、本基地局とＡＢＳを設定した基地局とのシステムフレーム番号偏差（DeltaSFN）を確定するのは以下の式で実現され、
DeltaSFN=(SFN1-SFN2+1024) mod 1024、
ＳＦＮ１は本基地局の指定された時間でのシステムフレーム番号であり、ＳＦＮ２は前記ＡＢＳを設定した基地局の前記指定された時間でのシステムフレーム番号である請求項４に記載の装置。
【請求項６】
前記調整モジュールは、前記システムフレーム番号偏差に基づいて、前記ＡＢＳを設定した基地局が送信したＡＢＳの発効時間を調整するのは以下の式で実現され、
T=T1+ DeltaSFN、
ＴはＡＢＳの発効時間であり、Ｔ１は設定されたＡＢＳの発効時間である請求項５に記載の装置。
【請求項７】
長期進化異種ネットワークにおいてほぼブランクなサブフレーム（ＡＢＳ）を処理する装置を含む基地局であって、前記装置は前記基地局に取り付けられ、前記装置は、
本基地局とＡＢＳを設定した基地局とのシステムフレーム番号偏差を確定するように設定される確定モジュールと、
前記システムフレーム番号偏差に基づいて、前記ＡＢＳを設定した基地局が送信したＡＢＳの発効時間を調整するように設定される調整モジュールと、を含む基地局。
【請求項８】
前記確定モジュールは、本基地局とＡＢＳを設定した基地局とのシステムフレーム番号偏差（DeltaSFN）を確定するのは以下の式で実現され、
DeltaSFN=(SFN1-SFN2+1024) mod 1024、
ＳＦＮ１は本基地局の指定された時間でのシステムフレーム番号であり、ＳＦＮ２は前記ＡＢＳを設定した基地局の前記指定された時間でのシステムフレーム番号である請求項７に記載の基地局。
【請求項９】
前記調整モジュールは、前記システムフレーム番号偏差に基づいて、前記ＡＢＳを設定した基地局が送信したＡＢＳの発効時間を調整するのは以下の式で実現され、
T=T1+ DeltaSFN、
ＴはＡＢＳの発効時間であり、Ｔ１は設定されたＡＢＳの発効時間である請求項８に記載の基地局。
【発明の詳細な説明】
【技術分野】
【０００１】
本発明は移動通信技術分野に関し、特にＬＴＥ（Long Term Evolution、長期進化）異種ネットワークにおいてＡＢＳを処理する方法及び装置に関する。
【背景技術】
【０００２】
ユーザのシームレスなカバレッジ、より高いデータレートサービスに対する需要を満たすために、次世代広帯域無線通信システムはより高いデータレート、より高いスペクトル及び電力利用効率、ハニカム平均スループットの向上及びエッジユーザ性能の改善を主なシステム設計需要とする。長期進化ＬＴＥプロジェクトは３ＧＰＰ（3rd Generation Partnership Project、第三世代パートナーシッププロジェクト）が起動した最大の新しい技術研究開発プロジェクトであり、３Ｇのエアアクセス技術を改善して強化し、ＯＦＤＭ（Orthogonal Frequency Division Multiplexing、直交周波数分割多重技術）とＭＩＭＯ（Multiple Input Multiple Output、多重入出力）をその無線ネットワーク進化標準として使用する。ＯＦＤＭ技術を採用して、各キャリア同士が互いに直交するため、セル内部の干渉が基本的に除去でき、セル間の干渉は、エッジユーザのサービス品質に影響を及ぼし、全体システム発展に影響を及ぼす重要因素の一となる。したがって、ＯＦＤＭシステムによるセル間干渉問題は近年で研究するホットスポットとなり、セル間干渉コーディネーション（Inter Cell Interference Coordination、ＩＣＩＣと略称する）技術はこの中で広範な懸念されている。ＩＣＩＣ技術はセル間コーディネーションの方式で各セルにおける無線リソースと電力の割り当てを制限し、セル間エッジユーザ干渉を減少して、スループットを増加する目的を達成する。方法は、時間領域、周波数領域、空域においてリソースのコーディネーション使用を行うこと、又は一定のリソースにおいて送信電力を制限すること等を含む。 Release 8/9におけるセル間干渉コーディネーションは主に周波数領域、例えばフラクショナル周波数再利用、ソフト周波数再利用等に集まり、電力制御を結合してもよく、これらの手段はいずれも基地局間の干渉を解決するため、つまりいわゆる同種ネットワークにおいて実施される。ネットワークの発展に伴って、研究から将来の８０％のトラフィックはいずれも異種ネットワークにより発生し、異種ネットワークとは従来のマクロハニカム移動基地局のカバレッジ範囲内で、再び若干の小電力伝送ノードを配置して、同じカバレッジの異なるノードタイプの異種システムを形成する。同種ネットワーク構造において、Release 8/9におけるＩＣＩＣ手段は異種ネットワーク干渉シーンにおける干渉問題を解決できないため、Release 10におけるセル間干渉コーディネーションは主に異種ネットワークにおけるマクロ基地局及びそのカバレッジ内の低電力ノード間の干渉についてコーディネーションし、したがって、Release 10にｅＩＣＩＣ（強化されたセル間干渉コーディネーション）技術を引き入れてマクロ基地局とマイクロ基地局の間の干渉コーディネーション問題を解決し、ＡＢＳ（almost blank subframe、ほぼブランクなサブフレーム）はｅＩＣＩＣにおける重要な技術であり、ＰＤＣＣＨ（物理下りリンク制御チャネル）はいずれのサブフレームにおいて送信され、干渉源セルのＰＤＳＣＨ（Physical Downlink Shared Channel、物理下りリンク共有チャネル）は被干渉セルのＰＤＣＣＨを深刻に干渉することで、被干渉セルのユーザは正常な通話を保持させない。３ＧＰＰは干渉セルが被干渉セルＵＥ（ユーザ端末）のＰＤＣＣＨ及びＰＤＳＣＨに対する干渉を回避するよう��ＡＢＳ方式を使用することを規定している。
【０００３】
３ＧＰＰプロトコルにおいて、ＦＤＤ（Frequency Division Duplexing、周波数分割複信）のABS Patternの周期が４０msであり、ＴＤＤ（Time Division Duplexing、時分割複信）の割合が１及び２である ABS Pattern（パターン）の周期が２０msであり、且つABS pattern周期の開始フレーム番号がＳＦＮ＝０から始めるＡＢＳサブフレームの構成制約を規定する。ＳＦＮ（System Frame Number、システムフレーム番号）は異種ネットワークにおける各マクロ基地局とマイクロ基地局によりセルフメンテナンスするシステムフレーム番号であるため、マクロ基地局とマイクロ基地局とのＡＢＳの同期が困難である。
【発明の概要】
【発明が解決しようとする課題】
【０００４】
本発明の実施例の解決しようとする技術問題は、マクロ基地局とマイクロ基地局とのＡＢＳの同期を実現するように、ＬＴＥ異種ネットワークにおいてＡＢＳを処理する方法、装置及び基地局を提供する。
【課題を解決するための手段】
【０００５】
上記の技術問題を解決するために、本発明の実施例は長期進化異種ネットワークにおいてほぼブランクなサブフレーム（ＡＢＳ）を処理する方法を提供し、
本基地局とＡＢＳを設定した基地局とのシステムフレーム番号偏差を確定するステップと、
前記システムフレーム番号偏差に基づいて、前記ＡＢＳを設定した基地局が送信したＡＢＳの発効時間を調整するステップと、を含む。
【０００６】
好ましくは、上記方法は以下の特徴を更に有する。前記本基地局とABSを設定した基地局とのシステムフレーム番号偏差（DeltaSFN）を確定するのは以下の式で実現され、
DeltaSFN=(SFN1-SFN2+1024) mod 1024、
ＳＦＮ１は本基地局の指定された時間でのシステムフレーム番号であり、ＳＦＮ２は前記ＡＢＳを設定した基地局の前記指定された時間でのシステムフレーム番号である。
【０００７】
好ましくは、上記方法は以下の特徴を更に有する。前記の前記システムフレーム番号偏差に基づいて、前記ＡＢＳを設定した基地局が送信したＡＢＳの発効時間を調整するのは以下の式で実現され、
T=T1+ DeltaSFN、
ＴはＡＢＳの発効時間であり、Ｔ１は設定されたＡＢＳの発効時間である。
【０００８】
上記の技術問題を解決するために、本発明の実施例は長期進化異種ネットワークにおいてほぼブランクなサブフレーム（ＡＢＳ）を処理する装置をさらに提供し、基地局に取り付けられ、
本基地局とＡＢＳを設定した基地局とのシステムフレーム番号偏差を確定するように設定される確定モジュールと、
前記システムフレーム番号偏差に基づいて、前記ＡＢＳを設定した基地局が送信したＡＢＳの発効時間を調整するように設定される調整モジュールと、を含む。
【０００９】
好ましくは、上記装置は以下の特徴を更に有する。
前記確定モジュールは、本基地局とＡＢＳを設定した基地局とのシステムフレーム番号偏差（DeltaSFN）を確定するのは以下の式で実現され、
DeltaSFN=(SFN1-SFN2+1024) mod 1024、
ＳＦＮ１は本基地局の指定された時間でのシステムフレーム番号であり、ＳＦＮ２は前記ＡＢＳを設定した基地局の前記指定された時間でのシステムフレーム番号である。
【００１０】
好ましくは、上記装置は以下の特徴を更に有する。
前記調整モジュールは、前記システムフレーム番号偏差に基づいて、前記ＡＢＳを設定した基地局が送信したＡＢＳの発効時間を調整するのは以下の式で実現され、
T=T1+ DeltaSFN、
ＴはＡＢＳの発効時間であり、Ｔ１は設定されたＡＢＳの発効時間である。
【００１１】
上記の技術問題を解決するために、本発明の実施例は基地局を更に提供し、長期進化異種ネットワークにおいてほぼブランクなサブフレーム（ＡＢＳ）を処理する装置を含み、前記装置は前記基地局に取り付けられ、前記装置は、
本基地局とＡＢＳを設定した基地局とのシステムフレーム番号偏差を確定するように設定される確定モジュールと、
前記システムフレーム番号偏差に基づいて、前記ＡＢＳを設定した基地局が送信したＡＢＳの発効時間を調整するように設定される調整モジュールと、を含む。
【００１２】
好ましくは、上記基地局は以下の特徴を更に有する。
前記確定モジュールは、本基地局とABSを設定した基地局とのシステムフレーム番号偏差（DeltaSFN）を確定するのは以下の式で実現され、
DeltaSFN=(SFN1-SFN2+1024) mod 1024、
ＳＦＮ１は本基地局の指定された時間でのシステムフレーム番号であり、ＳＦＮ２は前記ABSを設定した基地局の前記指定された時間でのシステムフレーム番号である。
【００１３】
好ましくは、上記基地局は以下の特徴を更に有する。
前記調整モジュールは、前記システムフレーム番号偏差に基づいて、前記ＡＢＳを設定した基地局が送信したＡＢＳの発効時間を調整するのは以下の式で実現され、
T=T1+ DeltaSFN、
ＴはＡＢＳの発効時間であり、Ｔ１は設定されたＡＢＳの発効時間である。
【発明の効果】
【００１４】
以上のように、本発明の実施例はマクロ基地局とマイクロ基地局とのＡＢＳの同期を実現できるＬＴＥ異種ネットワークにおいてＡＢＳを処理する方法及び装置を提供する。
【図面の簡単な説明】
【００１５】
【図１】図１は、本発明の実施例におけるＬＴＥ異種ネットワークにおいてＡＢＳを処理する方法を示すフローチャートである。
【図２】図２は、本発明の実施例におけるＡＢＳサブフレームを設定した基地局のＳＦＮとＡＢＳサブフレーム受信基地局のＳＦＮが同期する際のＡＢＳの発効模式図である。
【図３】図３は、本発明の実施例におけるＳＦＮ偏差に基づいて、ＡＢＳの発効時間を調整する模式図である。
【図４】図４は、本発明の実施例におけるＬＴＥ異種ネットワークにおいてＡＢＳを処理する装置である。
【図５】図５は、本発明の実施例におけるＬＴＥ異種ネットワークにおいてＡＢＳを処理する基地局である。
【発明を実施するための形態】
【００１６】
以下、図面を参照しながら、本発明の実施例を詳しく説明する。なお、矛盾が生じない場合は、本出願における実施例及び実施例における特徴を互いに任意に組み合わせることができる。
【００１７】
図１は、本発明の実施例におけるＬＴＥ異種ネットワークにおいてＡＢＳを処理する方法を示すフローチャートであり、図１に示すように、本実施例の方法は以下のステップを含む。
ステップ１１：ＡＢＳ受信基地局はＡＢＳを設定した基地局とのＳＦＮ偏差を確定する。
ステップ１２：ＡＢＳ受信基地局はＳＦＮ偏差に基づいて、ＡＢＳを設定した基地局が送信したＡＢＳの発効時間を調整する。
【００１８】
関連技術と比べて、本実施例は厳格なマクロ基地局とマイクロ基地局とのＡＢＳの発効時間を提供することができる。従来のプロトコルにマクロとマイクロの間のＳＦＮの同期メカニズムを強制的に規定していなく、ＧＰＳ（Global Positioning System、全地球測位システム）、ＩＥＥＥ（Institute of Electrical and Electronics Engineers、電気電子技術者協会） １５８８及びエアインタフェース同期を採用でき、異種ネットワークはネットワーキングを構築する場合に、マクロ基地局とマイクロ基地局が異なるメーカーにより提供する可能性があり、用いられる同期技術は異なり、マクロ基地局とマイクロ基地局とのシステムフレーム番号ＳＦＮが完全に揃わなくなってしまう可能性があり、ＡＢＳはＳＦＮに基づいて設定され、ＡＢＳが予期の設定と一致しなくなってしまい、深刻なのは予期のマイクロ基地局のＡＢＳスケジューリングデータがマクロ基地局に重なり、システム容量とユーザエクスペリエンスに影響を及ぼすことになる。本発明の実施例の方法を採用して、ＡＢＳを設定した基地局とＡＢＳ受信基地局の異なるシステムフレーム番号の偏差に基づいて、ＡＢＳ受信基地局のＡＢＳの発効時間を調整し、ＡＢＳ受信基地局がＡＢＳサブフレームスケジューリングを行う時間とＡＢＳを設定した基地局のスケジューリング時間とを完全にずらさせ、予期のｅＩＣＩＣ機能を実現する。
【００１９】
図２は、本発明の実施例におけるＡＢＳサブフレームを設定した基地局のＳＦＮとＡＢＳサブフレーム受信基地局のＳＦＮが同期する際のＡＢＳ発効模式図である。
ＡＢＳを設定した基地局はＡＢＳ受信基地局に、そのＳＦＮ＝１の１２番目のサブフレームがＡＢＳであると通知する。ＡＢＳサブフレームを設定した基地局のＳＦＮとＡＢＳサブフレーム受信基地局のＳＦＮが同期すると、ＡＢＳサブフレーム受信基地局はＳＦＮ＝１の１２番目のサブフレームがＡＢＳであると考え、且つ該サブフレームで対応なスケジューリングを行う。
【００２０】
図３は、本発明の実施例におけるＳＦＮ偏差に基づいて、ＡＢＳの発効時間を調整する模式図であり、以下のステップを含む。
ステップ１０１：ＡＢＳを設定した基地局はＴ１時間でのＳＦＮ１の１２番目のサブフレームがＡＢＳであると設定し、
ステップ１０２：ＡＢＳ受信基地局はＡＢＳを設定した基地局のＡＢＳ指示を受信し、
ステップ１０３：ＡＢＳを設定した基地局はＴ時間でのＳＦＮがＳＦＮ_ＡＢＳを設定した基地局であり、ＡＢＳ受信基地局はＴ時間でのＳＦＮがＳＦＮ_ＡＢＳ受信基地局であり、ＡＢＳ受信基地局はＡＢＳを設定した基地局とのＳＦＮ偏差を計算して、
DeltaSFN=（SFN_ABS受信基地局-SFN_ABSを設定した基地局+1024）mod 1024
を巻き付け計算し、
ＡＢＳ受信基地局のＡＢＳの発効時間をＴ_設定されたＡＢＳの発効時間＋DeltaSFNに調整し、図に示すように、Ｔ２時間でＡＢＳ受信基地局のＡＢＳとＡＢＳを設定した基地局とは設定されたＡＢＳにおいて時間を揃える。
【００２１】
図４は、本発明の実施例におけるＬＴＥ異種ネットワークにおいてＡＢＳを処理する装置であり、基地局に取り付けられ、
本基地局とＡＢＳを設定した基地局とのシステムフレーム番号偏差を確定するように設定される確定モジュールと、
前記システムフレーム番号偏差に基づいて前記ＡＢＳを設定した基地局が送信したＡＢＳの発効時間を調整するように設定される調整モジュールと、を含む。
【００２２】
前記確定モジュールは、本基地局とＡＢＳを設定した基地局とのシステムフレーム番号偏差（DeltaSFN）を確定するのは、以下の式で実現されることができ、
DeltaSFN=(SFN1-SFN2+1024) mod 1024、
ＳＦＮ１は本基地局の指定された時間でのシステムフレーム番号であり、ＳＦＮ２は前記ＡＢＳを設定した基地局の前記指定された時間でのシステムフレーム番号である。
【００２３】
前記調整モジュールは、前記システムフレーム番号偏差に基づいて前記ＡＢＳを設定した基地局が送信したＡＢＳの発効時間を調整するのは、以下の式で実現されることができ、
T=T1+ DeltaSFN、
ＴはＡＢＳの発効時間であり、Ｔ１は設定されたＡＢＳの発効時間である。
【００２４】
本実施例の装置は基地局に取り付けられる。
【００２５】
当業者は、上記方法における全部又は一部のステップは、プログラムで関連のハードウェアを指令することにより完成することができ、前記プログラムはコンピュータ読取可能な記憶媒体、例えば読み出し専用メモリ、ディスク又はＣＤなどに記憶することができることを理解することができる。選択的に、上記実施例の全部又は一部のステップは、１つ又は複数の集積回路を採用して達成することもできる。その分、上記実施例における各モジュール／ユニットはハードウェアの形式で達成してよく、ソフトウェア機能モジュールの形式で達成してもよい。本発明はいずれの特定形式のハードウェアとソフトウェアの組み合わせに限定されたものではない。
【００２６】
以上は、単に本発明の好ましい実施例であるに過ぎず、勿論、本発明は他の多種の実施例を更に有してもよく、本発明の趣旨及びその実質から逸脱しない場合に、当業者は本発明の実施例により１種又は多種の相応の改変と変形を行うことができるが、これらの相応な改変と変形はいずれも本発明の実施例に付属する請求項の保護範囲に属すべきである。
【産業上の利用可能性】
【００２７】
本発明の実施例はマクロ基地局とマイクロ基地局とのＡＢＳの同期を実現できるＬＴＥ異種ネットワークにおいてＡＢＳを処理する方法及び装置を提供する。
【図１】
2016541207.tif 000003
【図２】
2016541207.tif 000004
【図３】
2016541207.tif 000005
【図４】
2016541207.tif 000006
【図５】
2016541207.tif 000007
【国際調査報告】
2016541207.tif 000008
2016541207.tif 000009
2016541207.tif 000010
2016541207.tif 000011